(57)【要約】【課題】  震度の高い地震に遭遇した場合に据付けた家具が数回の揺れに耐え切れなくて転倒行為を起動して居住者に直接に危害を与えたり引き出しや収納物が跳び出したり、其の上に家具自体が転倒して避難の障害を招く事態を防止するための据付家具の災害時対応の固定安置を促する目的の家具耐震転倒防止構造金具の提供。【解決手段】  家具の据付ける壁面部が大壁式の仕上げの場合でも真壁式の仕上げの場合でも関係なく両面の柱にアルミのアングルを取付けてそのアングルに家具の上部の後桟をネジ釘数本にて締付け、其れに加えて其のアングルよりスライド性の自在式の帯板にて家具の出幅に適合調整をして前桟を固定締付けて家具の上端の前面及び後部の横桟を堅固に締付けて地震の際の家具の転倒を防御する耐震性家具の転倒防止構造金具。【選択図】    図１
2008188192.tif 000002
【特許請求の範囲】
【請求項１】
日本国内の木造建築の地震遭遇の場合には耐震的に構造軸組み等の最低基準は国土交通省の建築基準法により耐震対応的に指示されているけれど家具類の取り扱いには指示事項は全く指摘されていないので、家具の利用者が地震の発生時には屋内に据え付けた家具が転倒して居住者に直接危害を与えたり、或いは避難の際に障害になったとしたら取り返しの付かない結果を引き起こすので地震の際に家具の転倒を防止するために壁面等に堅固に固定をする必要が在る、其のためには家具の上端に化粧的なカラーアルミ製のアングルを用いて建物の主構造である家具を据え付ける壁の両柱に堅固に固定をして、其のアングルを利用して家具の上端の背面部分の横面方向の上桟を直接にネジ釘数本にて締付けて家具の転倒を防止する耐震性家具固定金物。
【請求項２】
上記に記載のアングル型の金物が建具の後面上端に接する面の両柱の中間を約３等分した中程の２ヶ所に丸型の自在的苛締め(カシメ)金具にて取り付けた帯板を取り付けてハの字の形に施して家具の出幅の異なる寸法に適所にスライド性を持たせて家具の前面の横方向の上桟にネジ釘にて固定をして後桟締め付けに加えて転倒を防止する、其の際に其のスライド性の帯板金の先端に丸型の自在性のある苛締め金具にてスライド性の在るアルミの板金を取り付けて数本のネジ釘孔を施して前面の上桟にネジ釘にて締付ける耐震性家具固定金物。
【請求項３】
上記に記載の固定金物にて上端を柱や壁面に堅固に固定をする場合に１面式の家具の場合は問題はないけれども上部と下部の２面式重ね継ぎ家具の場合は上端を堅固に固定しても中折れ現象を起こして重ね継ぎの部分が前面に跳びだす現象が発生するのを防ぐために家具の裏側面の家具の重ね部分に耐腐食性の板金物にて接続部分を補強する耐震性家具固定金物。
【発明の詳細な説明】
【技術分野】
【０００１】
家具は利用上の整理観点から主に壁面に据え付ける場合が多いので地震等が発生した場合には建物の主構造に固定をしていれば建物が全面的に倒壊をする現象の場合は致し方ないとしても其れ迄は家具の倒壊を防止して災害時に其の災害を最小限に留めるためには家具を建物に堅固に固定を施し居住者に直接の転倒危害や避難時の障害を及ぼさないためにも据え付け家具の安全固定に対応する必要性が在る。
【０００２】
其のためには家具の上端の背面部の上桟にアルミアングルの接する一面にて数本のネジ釘にて締付け固定をして其のアングルの両端を壁面位置の両柱にスクリュウネジ釘にて固定をして家具の前面転倒を防止する。
【０００３】
家具の高さや横幅及び出巾は種々多様存在するために種々の出幅に対応可能とする目的で、家具の上端の背面部の上桟を固定をした同アングルより家具の上端の前面部の上桟迄に家具の上端に這わせたアルミの薄めの帯板を用いて上端の前桟にネジ釘にて固定をしてアングルより家具の前面部及び背面部の双方の上桟を堅固に固定をして家具の前面転倒を防止する。
【０００４】
請求項の3に記載した２段重ね家具の場合には地震の際に中折れ跳び出し現象を防ぐために外観を損なわない様に家具の裏側背面の継手の部分を耐腐食性のＴ型の金板にて接続補強を施して中部の中折れ前面跳び出しを防止する。
【背景技術】
【０００５】
想定的に震度が４を超える様な地震が発生した場合に於いて固定していない家具は震度と共に転倒行為が発生して居住者に直接に危害を与えたり引き出しや収納品が跳びだしたりの現象が起きて避難障害を招く危険性も生じる。
【０００６】
耐震家具の固定構造及び金物は種々考案及び発明も提案されている、例えば文献１には背面壁の柱に直接に補強金物を採り付けているが柱の位置と家具の据え付ける場所が一致しない場合も想定する必要性も考慮すべきと考えられる。
【０００７】
其れと文献２の補強金物も家具を取り付ける背面の壁面が堅固な壁の場合は差し支えないとしても壁面の柱と柱との中間の間柱は主構造と異なり壁張り板の受下地を主体にした間柱であるために位置及び幅厚みが細く確認し難い場合も想定されるし、家具を据え付ける背面の壁が大壁仕上げの場合は壁下地を挟んで間柱と接するとしても真壁仕上げの場合は間柱と接する事は不可能と考えられる、其れに加えて家具の上端の天井板が丈夫な厚板にて製作してある場合は問題は無いと考えられるけれども通常家具の上端の天井部分は前面と背面及び両側面の４面外郭桟を組立てて上端並みに間隔的に中桟を敷いて其の上に合板を張る場合が多く用いられている、其の場合は文献の中の図２に明記されている図１に取り付けてある様な金物が全面的に使用されない場合も想定される。
【０００８】
文献３に家具を重ね継ぎをした場合の金具を記載されているが外観的に考慮すれば側面の見得掛りの場所よりも背面の見得隠れの場所にて補強板金物を取り付ける方法が簡単なＴ型の防蝕板金にて処理対応可能と考えられる。
【０００９】
文献４に記載のアングル型の金物を使用しているが其のアングルの両先端を柱に取付ける工法は同じとしても前記0007にも記載した様に背面の柱と柱との間の間柱は主構造で無いので幅厚みが細く確認し難く間柱を利用しなくてアングルの両先端を柱のみにて取り付け処理すべきである、尚アングルより上部上端の前桟迄アルミの薄板にて延してネジ釘にて固定をしているが家具の種々の出幅に対応するためにアングルから前桟迄をスライド的に設定し、2段重ねの裏面の継手補強金物も立桟と横桟が分離されているのでＴ型両面が堅固となる。
【００１０】
上記に記載の家具の出幅に対応するスライド留め板金は文献１に記載されているが、其れは上部の前面の見え掛りの部分に爪を露出状態なので外見上の問題として見え隠れの場所にて上端の前桟を後部のアングルより固定をする際に留める方法を設定考慮をする必要性が生じる。
【特許文献１】実願  昭５５−８７７２４
【特許文献１】特開  平８−３０８６６０
【特許文献２】特開  平８−２４２９５９
【特許文献４】実願  ３１１２７９５
【発明の開示】
【発明が解決しようとする課題】
【００１１】
前記006より0010迄に寸例を記載をしている様に地震の際に家具の転倒防止を施す方法や工法及び構造は多種に及んでいるが外見的経済的工法的に発案をするためには家具を据え付ける背面の柱と柱にカラーアルミ製の十字付きの丸型頭の化粧アングルを家具の上端の背面部位に取付けて其のアングルより家具の背面部の上桟は直接にネジ釘にて固定留めして、前面部の上桟は其のアングルよりスライド性を持った薄板金を自在式に取り付けて家具の出幅に対応する。
【課題を解決するための手段】
【００１２】
家具の据え付け場所が和風真壁仕上げの場合でも洋風大壁仕上げの場合でも同じく背面壁の両面に位置する柱に家具の高さに合せて上端にカラーアングルを据えて其のアングルの両端を両面の柱に化粧スクリウボルトにて固定を施して其のアングルの一面は壁面に一面は家具の上端に取り付けて、家具の上端の後面部の上桟には其のアングルに接する面に数箇所のネジ釘孔を施してネジ釘にて直接に固定をし、其のアングル面の２ヶ所に自在式の丸型の苛締め金具を取り付けて上部から見た場合にハの字になる様に薄板金を施して家具の出幅に合せて家具の前面部上桟に取り付ける、其の際には先端に自在式の薄板金を設けて其の薄板金に数本のネジ釘孔を施してネジ釘にて上部の前桟に堅固に取付けて家具の上端の前面横桟及び後面横桟を同時に堅固に取り付ける工法として家具を転倒行為から防御する。
【００１３】
家具の重ね継手の場合は家具の両側面板の背面の木口面の立桟に継手部位の上部と下部に補強板金を添えてＴ字型にして重ね部分の上部と下部の両横桟にも取付ける、其の際には立桟側板及び重ね部の両横板に数本のネジ釘にて固定をして家具の重ね継ぎの場合に地震に対応する中折れ跳び出し防止とする、其の際に使用するＴ型の補強添え板金は防食性又はアルミ製とする。
【発明の効果】
【００１４】
本発案は地震発生の場合に震度４を超える様な際には屋内に据え付けた家具類が数回の揺れに対応をしきれなくなり転倒行為が発生して居住者に危害を与えたり引出しや収納品が跳びだしたり、更に其の上に家具其の物自体がが転倒等して避難の際の障害にもなり居住者に災害を及ぼさない目的にて、据え付けた家具を主構造両柱に見得掛りを損なう事無く十字付き化粧丸頭のスクリュウボルトにて化粧カラーアルミアングルを完全に堅固に固定して、其のアングルを用いて地震発生時に安全性を与える据付家具の固定構造であり、家具取付け部の背面壁が大壁仕上げの場合も真壁仕上げの場合も関係なく主構造である両面の柱に取付ける家具耐震固定構造金具。
【発明を実施するための最良の形態】
【００１５】
本発明の実施例に付いて図面と符号を参照しながら説明をする。
(数字記号の符号分は除外して説明)
図１は家具据え付け部分の背面壁が真壁仕上げの場合の例を上部から見た家具の上端に金物を取り付けた際の平面見取り図で、１は両面の柱で柱の間隔を180cm程度の例、２は真壁の部分で柱面よりも壁チリが15mm程の例、３は家具を据え付けた例で横幅120cm出幅40cmの例、4は化粧カラーアルミアングルの下部面が家具の上端の後横桟に接する部分、5は其のアングルの立ち上がりの部分で両面の柱に取付く部分、6は家具の上端の前横桟、7の点線内の部分は家具の後桟でアングルに接する部分、8は家具の両妻の上桟、9はアングルの両先端を柱に取り付ける際の十字丸頭のスクリュウボルト、10はアングルと家具の後桟を締付けるネジ釘、11はアルミ製の帯板で建具の出幅に応じて建具の前桟を締付ける場所を決める事の出来るスライド式の金物、12は其の11の金物をアングルに取り付ける自在式の丸型の苛締め金具、13は11の先端に自在式に取り付けて家具の前桟を締付けるためのアルミ板、14は13のアルミ板を11の先端に取り付ける際の自在式の丸型の苛締め金具、15は13の板金具にて家具の前桟を締付けるネジ釘。
図2はアルミアングルに建具の上端の後桟を締付ける際の前面から見た断面部分の説明図で、３ｂは家具の上部の部分、16は建具の両妻立桟。
図3は図1の家具の出幅40cmの拡大説明断面図で、1ｂは両面の柱の外面、1ｃは真壁仕上げの場合の壁チリ、1ｄは真壁仕上げの場合のクロス貼りの際の下地ボード、1ｅは真壁仕上げの際の間柱、８ｂは家具の上部の天井板を張る際の受小桟、８ｃは家具の上端の天井板。
図４は家具が2段重ねの場合の地震により数回の揺れに遭遇した際に継手の部分を家具の裏面の両妻の上部の立桟と下部の立桟を接続部分の締付け補強と同時に上部分の下横桟と下部分の上横桟を同時に締める付ける補強添板金で、17は其の補強添金物板、18は上部の立桟に締付けるネジ釘孔、19は下部の立桟に締付けるネジ釘孔、20は上部の下横桟に締付けるネジ釘孔、21は下部の上横桟に締付けるネジ釘孔。
図５は上記図４の補強添板を家具の裏面の重ね部分の両妻木口立桟及び重ね部の上下の横桟にネジ釘にて取付け締付けた際の図で、22は2段重ねの場合の上部の妻側の裏木口立桟、23は同じく下部の立桟、24は上部家具の下横桟、25は下部家具の上横桟、18ｂは22に締付けるネジ釘、19ｂは23に締付けるネジ釘、20ｂは24に締付けるネジ釘、21ｂは25に締付けるネジ釘。
【図面の簡単な説明】
【００１６】
【図１】家具の据え付け部分の背面壁面の両柱に家具を取付けた場合を上部から見た際の平面見取り図。
【図２】上記の家具を取付ける際のアングルと家具上部の後横桟の締め付け状況図。
【図３】上記図１の家具の上部の部分の出幅部の断面詳細図。
【図４】家具の２段重ねの場合に家具の背面の接続部分の両妻立桟及び上部及び下部の接続部分の横桟を接続補強する耐腐食板金の図。
【図５】上記図４の補強添板を家具裏面の両側面部の接続部分に取付けた図。
【符号の説明】
【００１７】
１：家具を据付ける場合の壁面部の壁の両柱
１ｂ：補強アングルを取り付ける両面柱の外面部
１ｃ：壁面の仕上げが真壁の場合の壁チリ
１ｄ：壁面が真壁仕上げの場合の表面クロス仕上げの際の下地ボード
１ｅ：壁面が真壁仕上げの場合の間柱
２：壁面部が真壁仕上げの場合の壁体
３：壁面に据付ける際の家具
３ｂ：家具の上部の部分
４：補強アングルが家具の上端の後桟に接してネジ釘にて締付ける部分
５：補強アングルを両面の柱に取付けて締付ける立ち上がりの部分
６：家具の上端の前桟
７：家具の上端の後桟
８：家具の上端の両妻桟
８ｂ：家具の天井板を張る際の受小桟
８ｃ：家具の上端の天井板
９：補強アングルを両面柱に取付ける際のスクリュウボルト
10：上記4を家具の上端の後桟に締付ける際のネジ釘
11：補強アングルに2ヶ所ハの字型に取り付けて家具の出幅に調整してスライ
ド式に場所を決定をして家具の前桟を締付けるためのアルミ帯型の板
12：上記11の帯板をアングルに取り付ける際の自在式の丸型苛締め金具
13：上記11の帯板の先端に取付けて家具の前桟を固定するアルミ板
14：上記13の板を11に取付ける際の自在式の丸型苛締め金具
15：上記13の板を家具の前桟に締付けるネジ釘
16：家具の両妻の立桟
17：家具の2段重ねの場合に家具の裏面の両妻立桟に中折れ防止の目的に補強するＴ型の耐腐食性の平金板
18：上記17の平金板を継手部分の上部の立桟に締付けるネジ釘孔
18ｂ：上記18に締付ける際のネジ釘
19：上記17の平金板を継手部分の下部の立桟に締付けるネジ釘孔
19ｂ：上記19に締付ける際のネジ釘
20：上記17の平金板を継手部分の上部の横下桟に締付けるネジ釘孔
20ｂ：上記20に締付ける際のネジ釘
21：上記17の平金板を継手部分の下部の横上桟に締付けるネジ釘孔
21ｂ：上記21に締付ける際のネジ釘  
22：家具が2段重ねの場合の上部の家具の妻板の裏側面の立桟の下部の部分
23：家具が2段重ねの場合の家具の下部の妻板の裏側面の立桟の上部の部分
24：家具が2段重ねの場合の上部の家具の裏側面の下部横桟
25：家具が2段重ねの場合の下部の家具の裏側面の上部横桟
【図１】
2008188192.tif 000003
【図２】
2008188192.tif 000004
【図３】
2008188192.tif 000005
【図４】
2008188192.tif 000006
【図５】
2008188192.tif 000007
【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
木構造壁面が和風型の柱化粧見出し芯壁又は柱隠し大壁の壁面部に家具を設置する際に、家具の上端面部の後部位置にカラーアルミ製のアングルの一面を背面壁の主構造材である両側面位置の柱に、また、単柱に直接に家具が接する際は其の単柱に化粧スクリューボルトにて其のアングルを固定し、其の固定したアングルの他一面の下端面に数個のネジ釘にて後桟を固定し、其のアングルが家具に接する面部分に自在左右回転式のハの字型のアルミ製平型帯板を家具の上端面部に這わせ、其の帯板の先端にて家具上端面の前面部の桟を固定し、家具上端面全体を固定し、其の前面部上桟を固定する際にハの字型帯板の先端部に自在左右回転式平板金を取付け、其の自在式ハの字型帯板金にて家具の数種多様な出幅の大小サイズに自由対応可能な固定方法を特徴とする耐震性家具固定金物。
【請求項２】
前記に記載の大壁がＲＣ構造壁面部に家具を設置する際に、壁面に取付けるアングル材を後付けオールアンカーにて壁面に固定する事を特徴とする請求項１記載の耐震性家具固定金物。
【請求項３】
前記家具の構造が一面型で無く段重ね式型の際に地震時の中折れ跳び出し現象対策として、重ね部の接続補強金物を側面化粧部にての見え掛りを避け、連続横並び設置の際に相方の金具の厚みの分隙間が生じ埃の原因のため、家具の裏面の両側面の重ね部分が接する上部及び下部の立桟及び横桟を一枚Ｔの字型の防錆鋼鈑にて堅固に固定する事を特徴とする請求項１又は２記載の耐震性家具固定金物。
【手続補正２】
【補正対象書類名】明細書
【補正対象項目名】全文
【補正方法】変更
【補正の内容】
【発明の詳細な説明】
【技術分野】
【０００１】
本発明は、一般的に家具は利用上の整理面から主に壁面に据え付ける場合が多いため地震等が発生した場合に建物の主構造に固定し家具の転倒を防止し、居住者に直接に危害を与え、また、避難時の障害を避けるための据付け家具の耐震性安全固定に関する。
【０００２】
其のためには家具の上端部分を建物構造材に堅固に固定するために、先ずアルミアングルの一面にて構造材に締結合をなし、他一面のアングルを家具上端面の後桟に固定し、其のＬ型の家具に接する面に２ヶ所、ハの字型に薄型帯板を水平に自在左右回転型苛締め式にて取付け、家具の上端面部に這わせ、其の帯板の先端に自在左右回転型苛締め式板金を取付け、其の板金にて前桟に数本のネジ釘にて固定し、家具の数種多様に及ぶ出幅の自由調整に対応する。
【０００３】
建具構造が段重ね式の場合には地震等に遭遇した際に上部のみ固定しても中折れ現象を起こす危険防止目的として、裏面重ね部の立桟と横桟をＴ型鋼鈑を用いて堅固に接続固定する。
【背景技術】
【０００４】
凡そ震度が４を超える様な地震が発生した場合に於いて固定していない家具は震度に伴い転倒行為が起こり居住者に直接危害を与え、又は引き出しや収納物が跳び出し避難障害を招く危険性が生じる。
【０００５】
其れを防ぐためには据付け家具の上端面の背面部の上桟にアルミアングルを添わせて一面を柱等の構造材に、一面を数本のネジ釘にて後部上桟に固定し、また、地震の際に数回の揺れに伴い後桟のみを残して家具が転倒する危険性が生じる、すなわち家具の上端面の外周桟は堅固な大きいものでないために家具全体を強震に耐える様な固定据付けに基付き前面部の上桟をも固定すべく処置が要求されている。
【０００６】
また、既設の先行文献には多種の家具固定が発明又は考案されているが家具の上端面を総体的にスライド性を以て固定する技術は見当たらず、先行文献実登3112795は柱面にアングルにて固定し、其のアングルを柱と柱の中間の間柱にも取付けているために、家具を設置する際の裏面壁体部が芯壁の場合には壁面と家具との間に通常15mm程の空間があるために取付け難く、また、中間柱は主構造材で無いためにアングルを取付けても耐力は期待出来ない、また、前桟を固定するための水平帯板が固定性故家具の出幅にスライド的に対応出来ない、また、帯板の先端のみにて家具の前桟を固定する際はネジ釘の本数が限定され、通常家具の外周桟は小規模であるために数本のネジ釘にて固定しないと耐震的効果は期待出来ない、また、先行文献特8-303420には説明図4及び図8に基づいて説明がなされているが、強めの震度の際に壁面取付けプレートの耐震的衝動耐久性の説明が不明確、また、家具を全面的に前桟迄固定をする方法としていない、また、説明図2及び図3に基づいて説明がなされている数回折り曲げたら切断可能とあるが、地震時に数回の揺れに遭遇の際に固定金具が引張と圧縮を繰り返す衝動により自動的切断可能性と解される。
【特許文献１】実願登録第３１１２７９５号
【特許文献２】特開平８−第３０３４２０号
【発明の開示】
【発明が解決しようとする課題】
【０００７】
家具は上端の外周桟が小規模なため、家具を設置する背面構造体に耐震的に堅固に固定する際に背面が木造芯壁の場合、若しくは木造大壁の場合にアルミアングルを家具後部上端面位置の両柱に又は単柱に直接に接する際には其の柱にスクリューボルトにて固定し、其のアングルより水平に薄帯板金をハの字型に家具の上部前桟迄這わせ、其の帯板金のアングル取付け部分は苛締め式自在左右回転型とし、家具の数種多様の出幅に自由調整対応とし、其の帯板金の先端にも苛締め式自在左右回転型の平板金を取付け前桟にネジ釘数本にて固定し、家具転倒防止の必要課題に基づく。
【０００８】
設置する背面がＲＣ構造壁体の場合に家具後部上桟に固定するアングルは後付けアンカーボルトにて固定し、其のアングルよりハの字型に薄型板金を家具の上部前桟迄這わせ、其の帯板金のアングル取付け部は苛締め式自在左右回転型とし、家具の数種多様の出幅に自由調整対応とし、其の帯板金の先端に苛締め式自在左右回転型の平板金を取付け前桟にネジ釘数本にて固定し、家具の転倒防止の必要課題に基づく。
【０００９】
家具が一面型でなく上部と下部の段重ね式型の際には家具の上端面部の主構造材固定に伴い重ね部分も接続固定し、中折れ跳び出し現象を防止し、避難時の障害を防除する家具の転倒防止の必要課題に基づく。
【課題を解決するための手段】
【００１０】
家具類が強震に遭遇した場合に数回の揺れに対応する方法にて固定しないと転倒に対応する事が出来ない、其のためには設置する位置の壁面が木造の場合には家具を固定するための主固定金物を受ける主構造物が柱以外には有り得ない、すなわち中間の間柱にては厚みが薄いのと構造材でないために主金物のアングル等取り付けても頼る程の耐久力は有り得ない、故に主補強構造金物であるアルミアングルを柱と柱に家具の上端後面に添う形に取付け、両端をスクリュウボルトにて堅固に柱に固定し、又は背面に単柱に接する際は其の単柱に直接アングルにて固定し、其のアングルが家具に接する面の中程に2面ハの字型にアルミ製の薄型帯板を可締め式にて自在左右回転式型を水平に這はせ家具は出幅が固定されたものでなく多様性が在るために、其々の出幅に合致せしめるべくオーダーを省き自由的に対応するものとし、其の帯板の先端にも可締め式自在左右回転型の板金を取付け前桟に平行にネジ釘数本にて締め付け、家具を全面的に固定する事を特徴とする。
【００１１】
家具据付け位置の後面壁体がＲＣ構造の場合には壁材に取付けるアングル金物は長さ90ｃｍ程度とし、後附けオールアンカーにて壁体に固定し、家具の上端面に這わせるハの字型帯板金及び前桟固定の回転式板金は前記0008に記載の方法と同じとする事を特徴とする。
【００１２】
据え付ける家具が一面構造でなく重ね構造の際にては、数回の震度による中折れ現象防止として、継ぎ手補強金物を取付ける場所が側面化粧板部分にては接続する上部の横桟及び下部の横桟も通常小規模な桟にて構成されるため、大きめの数回の揺れに対応する強度が必要、また、単品設置の際に衣装的な見え掛りも懸念され、また、横並び連続設置の際には金具相方の厚みの分隙間が生じ埃の溜まる原因を解消するために、接続補強金物を、継ぎ手部分裏面の立桟及び横桟をＴ字型一枚の防錆鋼鈑を数個のネジ釘にて両側面部を堅固に固定する事を特徴とする。
【発明の効果】
【００１３】
耐震家具固定工法として家具を設置する位置が木造の場合には主構造である両面の柱と柱又は単柱に直接に接する際には其の柱に家具固定主金物であるアングルを衣装的にカラーアルミを用いて取付け、芯壁式の場合にも大壁の場合にも非構造材である中間の間柱に頼る事無く、其のアングルからハの字型に家具の上端面に水平に薄型板金を取付け家具の出幅に自由的に対応出来、また、其の帯板の長さを家具の多種多様な出幅に合わせ調整オーダー加工する必要も無く、家具の前桟を堅固に固定するため、家具全体を全面的に災害時の数回の揺れにも対応固定する事が出来、家具の上端に品物を載せても家具上部の固定帯板が薄板水平で在るために障害にならない、また、後面壁がＲC構造の場合にも上記と同じく主金物がアルミアングルにて固定をし、家具上端の固定金物も家具耐震に対応する事が可能である。
【発明を実施するための最良の形態】
【００１４】
本発明の実施例について図面を参照して説明する。
(符号数字記号の符号は省いて数字のみにて説明)
【実施例１】
【００１５】
図１は家具据付け部分の背面壁が芯壁仕上げの際に上部より見た家具の上端に金物を取付けた際の平面見取り図にて、1は両面の柱にて間隔が180ｃｍ程度の例、2は芯壁部分にて壁チリが15ｍｍ程の例、3は家具を据付けた際の上端面の例、4はアングルの下部面が家具の後部上桟に接する部分、5はアングルが柱に取付く部分、6は家具上端の前部横桟、7の点線内の部分は家具の後桟にてアングルに接する部分、8は家具の両妻の上桟、9はアングルの両先端を柱に取付ける際の化粧頭のスクリュウボルト、10はアングルと家具の後桟を締付けるネジ釘、11はハの字型のアルミ製の帯板にて家具の出幅に応じて自由に前桟を固定可能な自在性水平金物、12は11の帯板をアングルに取付ける際の自在性丸型苛締め金物、13は11の先端に自在式に取付けて前桟を固定する板金、14は13の板金を11の先端に取付ける際の自在式苛締め金具、15は13の板金にて家具の前桟を固定する際のネジ釘。
図2はアルミアングルに家具の上端後桟を締付ける際を前面より見た断面部分の説明図にて、３bは家具の上端部分、16は家具の両妻立桟。
図3は図1の家具出幅40cm程の拡大説明断面図にて、1bは柱の外面部、1cは芯壁仕上げの際の壁チリ部分、1dは芯壁仕上げの際の下地ボード、1eは芯壁仕上げの際の間柱、8bは家具の上端面の天井受け桟。
図4は家具が段重ね構造の際に家具の裏面の立桟及び横桟を同時に接続する際のＴの字型の鋼鈑にて、17は其の添え板金、18は上部の立桟に取付ける際のネジ釘孔、19は下部の立桟に取付ける際のネジ釘孔、20は上部家具の下横桟に取付ける際のネジ釘孔、21は下部家具の上横桟に取付ける際のネジ釘孔。
図5は家具裏面継ぎ手部分の補強添え板の取付け状況図にて、22は上部立桟、23は下部立桟、24は上部の横桟、25は下部の横桟、18bは22に取付けるネジ釘、19bは23に取付けるネジ釘、20bは24に取付けるネジ釘、21bは25に取付けるネジ釘。
【図面の簡単な説明】
【００１６】
【図１】家具の据付け部分の背面壁が芯壁の場合に両柱にアングルにて家具を固定した状況を上部より見た際の平面見取り図。
【図２】上記図１に記載の家具の後桟をアングルにて結合する際の状況図。
【図３】上記図１に記載の家具の上部部分の出幅部の断面説明図。
【図４】家具が段重ね構造の際に裏面接続部分に取付けるＴ字型の鋼鈑。
【図５】上記図４に記載の補強金物を裏面接続部に取付け固定する際の状況図。
【符号の説明】
【００１７】
１：家具を据付ける位置が芯壁の際の主構造両柱
１b：補強アングルを取付ける両柱の外面部
１c：家具設置部背面壁が芯壁仕上げの際の壁チリ
１d：家具設置部背面壁が芯壁仕上げの際の下地ボード
１e：家具設置部背面壁が芯壁仕上げの際の間柱
２：家具設置部背面壁が芯壁仕上げの際の壁体
３：芯壁面に据付ける際の家具
３b：据付け家具の上部の部分
４：アングルが家具上端の後桟に接するネジ釘固定部分
５：アングルが柱に接する面部
６：家具上端の前桟
７：家具上端の後桟
８：家具上端の両妻桟
８b：家具の天井板を張る際の受け小桟
８c：家具上端の天井板
９：アングルを柱に取付ける際のスクリュウボルト
10：アングルと後桟を固定するネジ釘
11：補強アングルに2ヶ所ハの字型に自在左右回転式に取付けて家具の上端に這わせる帯板金
12：上記11に記載の帯板をアングルに取付ける際の自在式丸型苛締め金具
13：上記11に記載の帯板の先端に自在式左右回転式に取付けて前桟を固定する板金
14：上記13に記載の板金を11帯板に取付ける際の自在式丸型苛締め金具
15：上記13に記載の板金を家具の前桟に固定するネジ釘
16：家具の両妻の立桟
17：家具が重ね構造の際に震度に対する中折れ防止のために家具の裏面部の継ぎ手部分に取付けるＴ字型の補強鋼鈑
18：上記17に記載の鋼鈑を継ぎ手部分の上部立桟に固定する際のネジ釘孔部位
18b：上記18に記載のネジ釘孔に締付けるネジ釘
19：上記17に記載の鋼鈑を継ぎ手部分の下部立桟に固定する際のネジ釘孔部位
19b：上記19に記載のネジ釘孔に締付けるネジ釘
20：上記17に記載の鋼鈑を継ぎ手部分の上部横桟に固定する際のネジ釘孔部位
20b：上記20に記載のネジ釘孔に締付けるネジ釘
21：上記17に記載の鋼鈑を継ぎ手部分の下部横桟に固定する際のネジ釘孔部位
21b：上記21に記載のネジ釘孔に締付けるネジ釘
22：上記17に記載の鋼鈑を固定する家具裏面上部の妻側立桟部分
23：上記17に記載の鋼鈑を固定する家具裏面下部の妻側立桟部分
24：上記17に記載の鋼鈑を固定する家具裏面上部の横桟部分
25：上記17に記載の鋼鈑を固定する家具裏面下部の横桟部分
【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
家具を設置する建物の主構造材である柱の家具の上端位置に化粧スクリュウボルトで水平に固定されるアルミニューム製アングル材と、前記アルミニューム製アングル材の長さを約３等分する２箇所にそれぞれ取り付けられて、自在に水平回動する帯板と、前記帯板の先端に回転自在に取り付けられて、自在に水平回動するとともにネジ釘にて家具の前面横桟に連結固定される連結片とからなることを特徴とする耐震性家具固定金物。
【手続補正２】
【補正対象書類名】明細書
【補正対象項目名】全文
【補正方法】変更
【補正の内容】
【発明の詳細な説明】
【技術分野】
【０００１】
家具は利用上の整理観点から主に壁面に据え付ける場合が多いので地震等が発生した場合には建物の主構造に固定をし、家具の倒壊を防止して災害時に其の災害を最小限に留めるためには家具を建物に堅固に固定を施し居住者に直接の転倒危害や避難時の障害を及ぼさないためにも据え付け家具の安全固定に対応する必要性が在る。
【０００２】
其のためには家具の上端の背面部の上桟にアルミアングルの接する一面にて数本のネジ釘にて締付け固定をして其のアングルの両端を壁面位置の両柱にスクリュウネジ釘にて固定をして家具の前面転倒を防止する。
【０００３】
家具の高さや横幅及び出巾は種々多様存在するために種々の出幅に対応可能とする目的で、家具の上端の背面部の上桟を固定をした同アングルより家具の上端の前面部の上桟迄に家具の上端に這わせたアルミの薄めの帯板を用いて上端の前桟にネジ釘にて固定をしてアングルより家具の前面部及び背面部の双方の上桟を堅固に固定をして家具の前面転倒を防止する。
【背景技術】
【０００４】
想定的に震度が４を超える様な地震が発生した場合に於いて固定していない家具は震度と共に転倒行為が発生して居住者に直接に危害を与えたり引き出しや収納品が跳びだしたりの現象が起きて避難障害を招く危険性も生じる。
【０００５】
耐震家具の固定構造及び金物は種々考案及び発明も提案されている、例えば文献１には背面壁の柱に直接に補強金物を採り付けているが柱の位置と家具の据え付ける場所が一致しない場合も想定する必要性も考慮すべきと考えられる。
【０００６】
其れと文献２の補強金物も家具を取り付ける背面の壁面が堅固な壁の場合は差し支えないとしても壁面の柱と柱との中間の間柱は主構造と異なり壁張り板の受下地を主体にした間柱であるために幅厚みが細く確認し難い場合も想定されるし、家具を据え付ける背面の壁が大壁仕上げの場合は壁下地を挟んで間柱と接するとしても真壁仕上げの場合は間柱と接する事は不可能と考えられる、其れに加えて家具の上端の天井板が丈夫な厚板にて製作してある場合は問題は無いと考えられるけれども通常家具の上端の天井部分は前面と背面及び両側面の４面外郭桟を組立てて上端並みに間隔的に中桟を敷いて其の上に合板を張る場合が多く用いられている、其の場合は文献の中の図２に明記されている図１に取り付けてある様な金物が全面的に使用されない場合も想定される。
【０００７】
文献４に記載のアングル型の金物を使用しているが其のアングルの両先端を柱に取付ける工法は同じとしても前記0006にも記載した様に背面の柱と柱との間の間柱は主構造で無いので幅厚みが細く確認し難く間柱を利用しなくてアングルの両先端を柱のみにて取り付け処理すべきである、尚アングルより上部上端の前桟迄アルミの薄板にて延してネジ釘にて固定をしているが家具の種々の出幅に対応するためにアングルから前桟迄をスライド的に設定すべきである。
【０００８】
上記に記載の家具の出幅に対応するスライド留め板金は文献１に記載されているが、其れは上部の前面の見え掛りの部分に爪を露出状態なので外見上の問題として見え隠れの場所にて上端の前桟を後部のアングルより固定をする際に留める方法を設定考慮をする必要性が生じる。
【特許文献１】実願  昭５５−８７７２４
【特許文献２】特開  平８−３０８６６０
【特許文献３】特開  平８−２４２９５９
【特許文献４】実願  ３１１２７９５
【発明の開示】
【発明が解決しようとする課題】
【０００９】
前記0004より0008迄に寸例を記載している様に地震の際に家具の転倒防止を施す方法や工法及び構造は多種に及んでいるが外見的経済的工法的に発案をするためには家具を据え付ける背面の柱と柱にカラーアルミ製の十字付きの丸型頭の化粧アングルを家具の上端の背面部位に取付けて其のアングルより家具の背面部の上桟は直接にネジ釘にて固定留めして、前面部の上桟は其のアングルよりスライド性を持った薄板金を自在式に取り付けて家具の出幅に対応する。
【課題を解決するための手段】
【００１０】
家具を設置する後部の建物の主構造材である両面柱に家具の上端位置にアルミニューム製のアングルの両端を化粧スクリュウボルトにて固定をし、前記アルミニューム製のアングルの長さの約３等分する２箇所にそれぞれ取り付けられて、水平面内で自在に回動する苛締め金具にて帯板を取付け、前記帯板の先端に水平面内で自在に回動する苛締め金具にて連結片を取付け、前記連結片を家具の前面横桟の方向に合致せしめ数本のネジ釘にて取付け、設置家具を転倒行為から防御する。
【発明の効果】
【００１１】
本発案は地震発生の場合に震度４を超える様な際には屋内に据え付けた家具類が数回の揺れに対応をしきれなくなり転倒行為が発生して居住者に危害を与えたり引出しや収納品が跳びだしたり、更に其の上に家具其の物自体が転倒等し、避難の際の障害にもなり居住者に災害を及ぼさない目的にて、据え付けた家具を主構造両柱に見得掛りを損なう事無く十字付き化粧丸頭のスクリュウボルトにて化粧カラーアルミアングルを完全に堅固に固定して、其のアングルを用いて地震発生時に安全性を与える据付家具の固定構造であり、家具取付け部の背面壁が大壁仕上げの場合も真壁仕上げの場合も関係なく主構造である両面の柱に取付ける家具耐震固定構造金具。
【発明を実施するための最良の形態】
【００１２】
本発明の実施例に付いて図面と符号を参照しながら説明をする。
(数字記号の符号分は除外して説明)
図１は家具据え付け部分の背面壁が真壁仕上げの場合の例を上部から見た家具の上端に金物を取り付けた際の平面見取り図で、１は両面の柱で柱の間隔を180ｃｍ程度の例、２は真壁の部分で柱面よりも壁チリが15ｍｍの例、３は家具を据え付けた例で横幅120ｃｍ幅40ｃｍ例、4は化粧カラーアルミアングルの下部面が家具の上端の後横桟に接する部分、5は其のアングルの立ち上がりの部分で両面の柱に取付く部分、6は家具の上端の前横桟、7の点線内の部分は家具の後桟でアングルに接する部分、8は家具の両妻の上桟、9はアングルの両先端を柱に取り付ける際の十字丸頭のスクリュウボルト、10はアングルと家具の後桟を締付けるネジ釘、11はアルミ製の帯板で建具の出幅に応じて建具の前桟を締付ける場所を決める事の出来るスライド式の金物、12は其の11の金物をアングルに取り付ける自在式の丸型の苛締め金具、13は11の先端に自在式に取り付けて家具の前桟を締付けるためのアルミ板、14は13のアルミ板を11の先端に取り付ける際の自在式の丸型の苛締め金具、15は13の板金具にて家具の前桟を締付けるネジ釘。
図2はアルミアングルに建具の上端の後桟を締付ける際の前面から見た断面部分の説明図で、３ｂは家具の上部の部分、16は建具の両妻立桟。
図3は図1の家具の出幅40ｃｍ拡大説明断面図で、1ｂは両面の柱の外面、1ｃは真壁仕上げの場合の壁チリ、1ｄは真壁仕上げの場合のクロス貼りの際の下地ボード、1ｅは真壁仕上げの際の間柱、８ｂは家具の上部の天井板を張る際の受小桟、８ｃは家具の上端の天井板。
【図面の簡単な説明】
【００１３】
【図１】家具の据え付け部分の背面壁面の両柱に家具を取付けた場合を上部から見た際の平面見取り図。
【図２】上記の家具を取付ける際のアングルと家具上部の後横桟の締め付け状況図。
【図３】上記図１の家具の上部の部分の出幅部の断面詳細図。
【符号の説明】
【００１４】
１：家具を据付ける場合の壁面部の壁の両柱
１ｂ：補強アングルを取り付ける両面柱の外面部
１ｃ：壁面の仕上げが真壁の場合の壁チリ
１ｄ：壁面が真壁仕上げの場合の表面クロス仕上げの際の下地ボード
１ｅ：壁面が真壁仕上げの場合の間柱
２：壁面部が真壁仕上げの場合の壁体
３：壁面に据付ける際の家具
３ｂ：家具の上部の部分
４：補強アングルが家具の上端の後桟に接してネジ釘にて締付ける部分
５：補強アングルを両面の柱に取付けて締付ける立ち上がりの部分
６：家具の上端の前桟
７：家具の上端の後桟
８：家具の上端の両妻桟
８ｂ：家具の天井板を張る際の受小桟
８ｃ：家具の上端の天井板
９：補強アングルを両面柱に取付ける際のスクリュウボルト
10：上記4を家具の上端の後桟に締付ける際のネジ釘
11：補強アングルに2ヶ所ハの字型に取り付けて家具の出幅に調整してスライ
ド式に場所を決定をして家具の前桟を締付けるためのアルミ帯型の板
12：上記11の帯板をアングルに取り付ける際の自在式の丸型苛締め金具
13：上記11の帯板の先端に取付けて家具の前桟を固定するアルミ板
14：上記13の板を11に取付ける際の自在式の丸型苛締め金具
15：上記13の板を家具の前桟に締付けるネジ釘
16：家具の外周部の立桟
【手続補正書】
【提出日】平成19年12月7日(2007.12.7)
【手続補正１】
【補正対象書類名】明細書
【補正対象項目名】０００８
【補正方法】変更
【補正の内容】
【０００８】
上記に記載の家具の出幅に対応するスライド留め板金は文献1に記載されているが、其れは上部の前面の見え掛かりの部分に爪を露出状態なので外見上の問題として見え隠れの場所にて上端の前桟を後部のアングルより固定をする際に留める方法を設定考慮をする必要性が生じる。
【特許文献１】実開昭５７−１２０４９号公報
【特許文献２】特開平８−３０８６６０号公報
【特許文献３】特開平８−２４２９５９号公報
【特許文献４】登録実用新案第３１１２７９５号公報
【手続補正２】
【補正対象書類名】図面
【補正対象項目名】図４
【補正方法】削除
【補正の内容】
【手続補正３】
【補正対象書類名】図面
【補正対象項目名】図５
【補正方法】削除
【補正の内容】